(57)【要約】【課題】断熱材を高さ方向の広い範囲に設置できて断熱欠損を小さくでき、しかも、施工が容易で、鋼製胴差の凹所空間部内での断熱材の保持状態をしっかりとしたものにできる、階間胴差部における断熱材の設置構造を提供する。【解決手段】階間の鋼製胴差１の屋外側に開放された凹所空間部５内に、発泡樹脂製のボード状断熱材４が、胴差１の下フランジ１ｂの上面位置から上フランジ１ａの下面位置にわたるように設置され、上フランジ１ａの下面部及び下フランジ１ｂの上面部のそれぞれに備えられている凸部９，９に、屋外側への移動を阻止される態様で係合保持されている。凸部９，９は、階間を挟む階上階下の外壁パネル２，３のパネルフレーム８，８を胴差１に連結しているボルト等からなっているとよい。【選択図】      図１
2006169808.tif 000002
【特許請求の範囲】
【請求項１】
階間の鋼製胴差の上下のフランジとこれらフランジをつなぐウェブとで三方を囲まれ、残る一方を屋外側に開放した凹所空間部内に、発泡樹脂製のボード状断熱材が、前記胴差の下フランジの上面位置から上フランジの下面位置にわたるように設置され、上フランジの下面部及び下フランジの上面部のそれぞれに備えられている凸部に、屋外側への移動を阻止される態様で係合保持されていることを特徴とする階間胴差部における断熱材の設置構造。
【請求項２】
階間胴差の上フランジの下面部に備えられている凸部が、階間を挟む階上の外壁パネルのパネルフレームを階間胴差に連結するのに関係するボルト等の金具類からなり、
階間胴差の下フランジの上面部に備えられている凸部が、階間を挟む階下の外壁パネルのパネルフレームを階間胴差に連結するのに関係するボルト等の金具類からなる請求項１に記載の階間胴差部における断熱材の設置構造。
【請求項３】
階間胴差部に階間止水用の水切り板が取り付けられており、該水切り板と前記ボード状断熱材とが非一体化の関係で備えられている請求項１又は２に記載の階間胴差部における断熱材の設置構造。
【請求項４】
階間胴差部に階間止水用の水切り板が取り付けられており、該水切り板と前記ボード状断熱材とが一体化の関係で備えられている請求項１又は２に記載の階間胴差部における断熱材の設置構造。
【発明の詳細な説明】
【技術分野】
【０００１】
本発明は、階間胴差部における断熱材の設置構造に関する。
【背景技術】
【０００２】
上下のフランジとこれらフランジをつなぐウェブを備えた例えばＨ型鋼からなる鋼製胴差を階間部に備える住宅用等の建物では、鋼製胴差の上下のフランジとウェブとで三方を囲まれ、残る一方を屋外側に開放した凹所空間部内に、屋外側から断熱材を設置しておくのが好ましい。
【発明の開示】
【発明が解決しようとする課題】
【０００３】
しかしながら、階間胴差部における断熱材の設置構造として具体的にどのような構造を採用すべきについては、未だ、万全な設置構造が確立されているとはいえず、周囲との取合い関係や施工の容易性確保のために断熱材で断熱される高さ方向の範囲が限られて断熱欠損を小さくできないとか、断熱材を凹所空間部内でしっかりとした保持状態にすることができない、等の問題がある。
【０００４】
本発明は、上記のような背景において、階間胴差部において断熱材を高さ方向の広い範囲に設置することができて断熱欠損を小さくすることができ、しかも、施工が容易で、鋼製胴差の凹所空間部内での断熱材の保持状態をしっかりとしたものにすることができる、階間胴差部における断熱材の設置構造を提供することを課題とする。
【課題を解決するための手段】
【０００５】
上記の課題は、階間の鋼製胴差の上下のフランジとこれらフランジをつなぐウェブとで三方を囲まれ、残る一方を屋外側に開放した凹所空間部内に、発泡樹脂製のボード状断熱材が、前記胴差の下フランジの上面位置から上フランジの下面位置にわたるように設置され、上フランジの下面部及び下フランジの上面部のそれぞれに備えられている凸部に、屋外側への移動を阻止される態様で係合保持されていることを特徴とする階間胴差部における断熱材の設置構造によって解決される。
【０００６】
この構造では、断熱材が鋼製胴差の凹所空間部内において胴差の下フランジの上面位置から上フランジの下面位置にわたるように設置されているので、階間胴差部において断熱材を高さ方向の広い範囲に設置することができて、断熱欠損を小さくすることができる。
【０００７】
しかも、断熱材が発泡樹脂製のボード状断熱材からなり、該ボード状断熱材が、鋼製胴差の上フランジの下面部及び下フランジの上面部のそれぞれに備えられている凸部に、屋外側への移動を阻止される態様で係合保持されているので、凹所空間部内での断熱材の保持状態をしっかりとしたものにすることができる。
【０００８】
加えて、断熱材が発泡樹脂製のボード状断熱材からなることで、断熱材を鋼製胴差の上下のフランジの各凸部に容易に係合保持させることができて、施工を容易に行うことができる。
【０００９】
更に、このような係合保持状態の採用によって、断熱材の上下両端部を凸部に妨げられずに上下のフランジに対して近接状態ないしは接触状態にすることができて、階間胴差部における断熱欠損を非常に小さいものにすることができる。
【００１０】
なお、本構造では、階間胴差部において、断熱材の屋外側に階間止水用の水切り板が備えられていてもよいし、備えられていなくてもよく、断熱材を、階間止水用の水切り板の存在の有無にかかわらず、凹所空間部内に凸部との係合によって保持することができ、従って、例えば、バルコニー下などの水切り板の備えられていない部分において、断熱材を凹所空間部内に水切り板無しでしっかりとした係合保持状態にすることができるという利点もある。
【００１１】
上記の構造において、階間胴差の上フランジの下面部に備えられている凸部が、階間を挟む階上の外壁パネルのパネルフレームを階間胴差に連結するのに関係するボルト等の金具類からなり、
階間胴差の下フランジの上面部に備えられている凸部が、階間を挟む階下の外壁パネルのパネルフレームを階間胴差に連結するのに関係するボルト等の金具類からなるとよい。
【００１２】
この場合は、凹所空間部内に断熱材係合保持専用の凸部を設ける必要がなく、凹所空間部内への断熱材の施工を容易に行うことができる。また、断熱材の上下両端部をそのような金具類に妨げられずに上下のフランジに対して近接状態ないしは接触状態にすることができて、階間胴差部における断熱欠損を非常に小さいものにすることができる。
【００１３】
上記の構造において、階間胴差部に階間止水用の水切り板が取り付けられており、該水切り板と前記ボード状断熱材とが非一体化の関係で備えられているのもよい。この場合は、断熱材と階間水切り板とが一体化されていないことで、断熱材の高さ寸法を水切り板の形態に左右されることなく大きく設定することができ、階間における断熱欠損を小さくすることができる。
【００１４】
また、階間胴差部に階間止水用の水切り板が取り付けられており、該水切り板と前記ボード状断熱材とが一体化の関係で備えられているのもよい。この構造は、水切り板と断熱材の両者を一体化しても断熱材の高さ寸法が水切り板の形態等に左右されない場合を対象とするもので、両者の同時施工を通じて、能率の良い施工を実現することができる。
【発明の効果】
【００１５】
本発明は、以上のとおりのものであるから、階間胴差部において断熱材を高さ方向の広い範囲に設置することができて断熱欠損を小さくすることができ、しかも、施工が容易で、鋼製胴差の凹所空間部内での断熱材の保持状態をしっかりとしたものにすることができる。
【発明を実施するための最良の形態】
【００１６】
次に、本発明の実施最良形態を図面に基づいて説明する。
【００１７】
図１〜図３に示す第１実施形態の構造において、１は階間の鋼製胴差、２は階下の外壁パネル、３は階上の外壁パネル、４は階間断熱材、１０は階間止水用の水切り板である。
【００１８】
鋼製胴差１は、上下のフランジ１ａ，１ｂとこれらフランジ１ａ，１ｂをつなぐウェブ１ｃとを備えたＨ形材からなっていて、上下のフランジ１ａ，１ｂとウェブ１ｃとで三方を囲まれ、残る一方を屋外側に開放した凹所空間部５を備えている。
【００１９】
階上、階下の外壁パネル２，３は、外壁面材６の背面側に発泡樹脂製の断熱材７を介してパネルフレーム８を取り付けたもので、階上の外壁パネル３は、そのパネルフレーム８が鋼製胴差１の上フランジ１ａの上面部の屋外側の半部に設置され、図２（イ）に示すように、パネルフレーム８と上フランジ１ａとがパネルフレーム８の左右二カ所においてボルト９で連結されて、胴差１と結合されている。また、階下の外壁パネル２は、そのパネルフレーム８が胴差１の下フランジ１ｂの下面部の屋外側の半部に配置され、パネルフレーム８と下フランジ１ｂとが同様にパネルフレーム８の左右二カ所においてボルト９で連結されて、胴差１と結合されている。
【００２０】
そして、階間用の断熱材４は、発泡樹脂製のボード状断熱材からなり、その高さ寸法は、鋼製胴差１の上下のフランジ１ａ，１ｂ間の間隔寸法よりも若干小さく設計されていて、胴差１の下フランジ１ｂの上面位置から上フランジ１ａの下面位置にわたるように設置することができるようになされており、上面部と下面部のそれぞれには、図２（ロ）に示すように、左右方向に延びる溝などによる係合保持用の凹部４ａ，４ａが備えられている。
【００２１】
また、水切り板１０は、階間部の止水のため、図１（イ）に示すように、上端側が階上外壁パネル３の発泡断熱材７の背面側に突出し、下端側が階下の外壁パネル２の発泡断熱材７の正面側に突出する形態を有し、階間用断熱材４と一体化されることなく、階間用断熱材４とは独立して備えられている。
【００２２】
施工は、図１（ロ）に示すように、階上階下の外壁パネル２，３の建方を行って、外壁パネル２，３を胴差１とボルト９，９で連結結合したのち、これらボルト９，９を階間用断熱材４の係合保持用凸部とし、階間用断熱材４を次のようにして設置する。
【００２３】
即ち、図３（イ）に示すように、階間用の断熱材４を、屋外側から、傾けるようにして、上端側を鋼製胴差１の凹所空間部５内に差し込んでいき、階間用断熱材４の上面部に備えられている係合保持用の凹部４ａ内に、鋼製胴差１の上フランジ１ａの下面部から下方に突出しているボルト９の頭部を嵌め込むようにする。そして、図３（ロ）に示すように、階間用断熱材４の下端側を鋼製胴差１の凹所空間部５内に押し込んでいき、図３（ハ）に示すように、階間用断熱材４の下面部の係合保持用凹部４ａ内に、鋼製胴差１の下フランジ１ｂの上面部から上方に突出しているボルト９を嵌め込むようにする。これにより、階間用断熱材４は、鋼製胴差１の凹所空間部５内で、ボルト９，９によって屋外側への移動を阻止された係合保持状態となって設置される。水切り板１０は、こうして階間用断熱材４の設置作業を終えた後、図１（イ）に示すように屋外側から階間胴差部に取り付けられる。
【００２４】
上記の設置構造によれば、階間用断熱材４が鋼製胴差１の凹所空間部５内において胴差１の下フランジ１ｂの上面位置から上フランジ１ａの下面位置にわたるように設置されているので、階間胴差部において断熱材４を高さ方向の広い範囲に設置することができて断熱欠損を小さくすることができる。
【００２５】
しかも、階間用断熱材４は発泡樹脂製のボード状断熱材からなり、該ボード状断熱材４が、鋼製胴差１の上下のフランジ１ａ，１ｂに備えられているボルト９，９に、屋外側への移動を阻止される態様で係合保持されているので、凹所空間部５内での断熱材４の保持状態をしっかりとしたものにすることができる。
【００２６】
また、断熱材４が発泡樹脂製のボード状断熱材からなることで、鋼製胴差１の上下のフランジ１ａ，１ｂの各ボルト９，９に容易に係合させることができて施工を容易に行うことができる。なお、発泡樹脂製ボード状断熱材４の撓み性を利用することで、断熱材４の上下の面部をいずれも鋼製胴差１の上下のフランジ１ａ，１ｂに接触状態となるようにするのもよい。
【００２７】
更に、上記のような係合保持状態を形成する設置構造の採用によって、断熱材４の上下両端部をボルト９，９に妨げられずに上下のフランジ１ａ，１ｂに対して近接状態ないしは接触状態にすることができ、階間胴差部における断熱欠損を非常に小さいものにすることができる。
【００２８】
また、階上階下の外壁パネル２，３のパネルフレーム８，８と鋼製胴差１の上下のフランジ１ａ，１ｂとを連結しているボルト９，９を係合保持用の凸部として用いていることで、係合保持専用の凸部をフランジ１ａ，１ｂに設けておく必要がなく、凹所空間部５内への断熱材４の設置の施工を容易に行うことができる。
【００２９】
更にまた、階間止水用の水切り板１０と階間用の断熱材４とを非一体化の関係にして独立させた構造としているので、断熱材４の高さ寸法を、水切り板１０の形態に左右されずに大きく設定することができ、階間における断熱欠損を小さくすることができる。
【００３０】
図４に示す第２実施形態の構造は、同図（ロ）に示すように、階間用断熱材４と階間用水切り板１０とが予め一体化され、これらを施工において階間胴差部に同時に設置することができるようにしたものである。その他は、第１実施形態の設置構造と同様である。即ち、この構造は、水切り板１０と断熱材４の両者を一体化しても、断熱材４の高さ寸法が水切り板１０の形態に左右されない場合を対象としたもので、両者の一体化により、一体化による同時施工の利点を生かして、施工を能率良く行っていくことができる。
【００３１】
以上に、本発明の実施形態を示したが、本発明はこれに限られるものではなく、発明思想を逸脱しない範囲で各種の変更が可能である。例えば、上記の実施形態では、階間用断熱材４の屋外側に階間止水用の水切り板１０が備えられている場合を示しているが、バルコニー下などのように水切り板の備えられない階間胴差部分においても、断熱材を鋼製胴差の凹所空間部内にしっかりとした保持状態に設置することが可能となる。
【００３２】
また、上記の実施形態では、鋼製胴差１の上フランジ１ａの下面部、下フランジ１ｂの上面部に備えられている係合保持用の凸部が、鋼製胴差１に階上階下の外壁パネル２，３のパネルフレーム８，８を連結しているボルト９，９である場合を示したが、ナットであってもよいのはもちろん、その他のネジ金具であってもよいし、パネルフレーム８，８を鋼製胴差１に連結するに際して位置決めのために備えられるダボなどであってもよい。その他、これら連結関係金具に限らず、係合保持のための専用金具類を用いて係合保持用の凸部を形成するようにしてもよい。
【００３３】
また、上記の実施形態では、階間用断熱材４の係合保持のために、断熱材４の上下の面部に係合保持用の凹部４ａ，４ａを設けた場合を示しているが、断熱材の厚さ方向の全体を、鋼製胴差の上下のフランジに備えられる係合保持用の凸部よりも屋内側に位置させることで、階間用断熱材の係合保持状態を形成する設置構造などを採用する場合には、階間用断熱材の上下の面部における係合保持用凹部は省略されてもよい。
【００３４】
更に、上記の実施形態では、鋼製胴差１がＨ形材からなっている場合を示しているが、上下のフランジとそれらをつなぐウェブとを備え、屋外側に開放する凹所空間部を備えたものであればよく、溝形材や、リップ付き溝形材などからなっていてもよい。
【図面の簡単な説明】
【００３５】
【図１】図（イ）は第１実施形態の設置構造を示す断面側面図、図（ロ）は階間用断熱材と水切り板を取り付ける前の階間胴差部を示す断面側面図である。
【図２】図（イ）は階間用断熱材と水切り板を取り付ける前の階間胴差部を示す正面図、図（ロ）は階間用断熱材の断面斜視図である。
【図３】図（イ）〜図（ハ）は断熱材の設置方法を順次に示す断面側面図である。
【図４】図（イ）は第２実施形態の設置構造を示す断面側面図、図（ロ）は水切り板が予め一体化された階間用断熱材を示す断面斜視図である。
【符号の説明】
【００３６】
１…鋼製胴差
１ａ，１ｂ…フランジ
１ｃ…ウェブ
２，３…外壁パネル
４…発泡樹脂製のボード状断熱材
５…凹所空間部
８…パネルフレーム
９…ボルト（係合保持用凸部）
１０…水切り板
【図１】
2006169808.tif 000003
【図２】
2006169808.tif 000004
【図３】
2006169808.tif 000005
【図４】
2006169808.tif 000006